(57)【要約】      （修正有）【課題】収納された物品を容易に取り出すことができる吊り戸棚を提供する。【解決手段】吊り戸棚２は、トイレ室１において、便器Ｔの後方壁面Ｗの上部に固定されるとともに、吊り戸棚本体３の前面に開閉可能に支持された左右一対の扉４と、扉４の裏面下部において着座した状態の使用者Ｕが、物品Ｇを取り出すことができる高さに設けられている収納部５と、を有して構成されている。扉４の開放に伴って、扉４の裏面下部に設置された収納部５も移動し、戸先側の端部が前方、すなわち使用者Ｕ側に移動することにより、使用者Ｕは物品Ｇを容易に取り出すことができる。【選択図】図１
0003183173.tif 000002
【実用新案登録請求の範囲】
【請求項１】
トイレ室内において、便座の背面側の壁面上部に固定された吊り戸棚であって、
前面が開口した吊り戸棚本体と、前記吊り戸棚本体の前面に開閉可能に支持された扉と、を備えて構成され、
前記扉の裏面下部には、トイレ室内において使用するための物品を収納する収納部が設けられており、
前記収納部は、前記扉の開放に伴って、該扉と共に前方側に移動することで、便座に着座した状態の使用者が前記物品を取り出すことが可能な高さに設けられていることを特徴とする吊り戸棚。
【請求項２】
前記収納部は、上部が開口した補充部と、底部及び側部を有する取出部と、前記補充部と前記取出部とを連結する連結部と、を有して構成され、
前記取出部は、該取出部の長手方向が前記扉の吊元から戸先に沿う方向に形成されるとともに、吊元側端部から戸先側端部に向かって徐々に低くなる傾斜を有して形成され、
前記連結部は、前記補充部の下端部と前記吊元側端部とを連結して設けられていることを特徴とする請求項１に記載の吊り戸棚。
【請求項３】
前記収納部は、棒状の部材を交差させたカゴ状に形成されていることを特徴とする請求項１又は２に記載の吊り戸棚。
【請求項４】
前記扉は左右一対に設けられた観音開きの扉であるとともに、前記扉の両側の裏面に、前記収納部がそれぞれ設けられていることを特徴とする請求項１〜３のいずれか１項に記載の吊り戸棚。
【請求項５】
前記左右一対の扉の両側の裏面に設けられた収納部は、互いに異なる形状に形成されていることを特徴とする請求項４に記載の吊り戸棚。
【考案の詳細な説明】
【技術分野】
【０００１】
本考案は、トイレ室内において使用するための物品を収納する吊り戸棚に関する。
【背景技術】
【０００２】
従来、トイレ室内において使用するための物品を収納する吊り戸棚が種々提案されている（例えば、特許文献１参照）。特許文献１に記載の従来のトイレの吊り戸棚は、箱状体の吊り戸棚であって、鉛直方向及び水平方向に延びて配置された仕切面材により区切られた物品収納スペースを内部に有することにより、トイレ室内において使用するための物品を収納することができる。
【先行技術文献】
【特許文献】
【０００３】
【特許文献１】特開平７−５１１３９
【考案の概要】
【考案が解決しようとする課題】
【０００４】
しかしながら、従来の吊り戸棚は、水平方向に延びて配置された仕切面材の上面に物品を収納するため、物品を取り出す際に使用者が立ち上がるか、又は中腰になる必要があり、不便であった。
【０００５】
従って、本考案の目的は、上記のような問題点に着目し、収納された物品を容易に取り出すことができる吊り戸棚を提供することである。
【課題を解決するための手段】
【０００６】
上記課題を解決するために、本考案の吊り戸棚は、トイレ室内において、便座の背面側の壁面上部に固定された吊り戸棚であって、前面が開口した吊り戸棚本体と、前記吊り戸棚本体の前面に開閉可能に支持された扉と、を備えて構成され、前記扉の裏面下部には、トイレ室内において使用するための物品を収納する収納部が設けられており、前記収納部は、前記扉の開放に伴って、該扉と共に前方側に移動することで、便座に着座した状態の使用者が前記物品を取り出すことが可能な高さに設けられていることを特徴とする。
【０００７】
本考案によれば、扉の裏面に収納部が設けられ、さらに、使用者が着座した状態において、物品を取り出すことができる高さに収納部が設置されていることから、扉を開くことで収納部が扉と共に使用者側に移動し、収納部に収納された物品を使用者が着座した状態で容易に取り出すことができる。
【０００８】
また、請求項１に記載の吊り戸棚であって、前記収納部は、上部が開口した補充部と、底部及び側部を有する取出部と、前記補充部と前記取出部とを連結する連結部と、を有して構成され、前記取出部は、該取出部の長手方向が前記扉の吊元から戸先に沿う方向に形成されるとともに、吊元側端部から戸先側端部に向かって徐々に低くなる傾斜を有して形成され、前記連結部は、前記補充部の下端部と前記吊元側端部とを連結して設けられていることが好ましい。
【０００９】
このような構成によれば、吊元側端部から戸先側端部に向かって低くなる傾斜を有して形成されていることから、傾斜に沿って戸先側端部に物品が移動することになり、扉を解放した際に使用者に近い位置に物品を位置させることができ、利便性を向上させることができる。
【００１０】
また、請求項１又は２に記載の吊り戸棚であって、前記収納部は、棒状の部材を交差させたカゴ状に形成されていることが好ましい。
【００１１】
このような構成によれば、収納部が棒状の部材を用いてカゴ状に形成されていることにより、収納部の下側から使用者が収納部内部の物品を移動させることができる。すなわち、収納部に収納された物品を取り出す際や取り出した後に、補充されている物品を取り出しやすい位置に移動させることができ、利便性を向上させることができる。
【００１２】
また、請求項１〜３のいずれか１項に記載の吊り戸棚であって、前記扉は左右一対に設けられた観音開きの扉であるとともに、前記扉の両側の裏面に、前記収納部がそれぞれ設けられていることが好ましい。
【００１３】
このような構成によれば、吊り戸棚の左右の扉にそれぞれ備えていることから、より多くの物品を収納することができ、利便性を向上させることができる。また、左右の収納部にそれぞれ異なる種類の物品を収納しておくことで、用途に応じた物品を取り出しやすくすることができる。
【００１４】
また、請求項４に記載の吊り戸棚であって、前記左右一対の扉の両側の裏面に設けられた収納部は、互いに異なる形状に形成されていることが好ましい。
【００１５】
このような構成によれば、吊り戸棚の左右の扉にそれぞれ設けられた収納部が異なる形状に形成されていることから、収納する物品の形状や大きさに合わせて収納部を使い分けることが可能となり、より利便性を向上させることができる。
【考案の効果】
【００１６】
以上のような本考案の吊り戸棚によれば、扉の裏面に収納部を設置することにより、使用者が扉を開いた際に収納部が扉と共に使用者側に移動するため、使用者は、収納部に収納された物品を容易に取り出すことができ、利便性を向上させることができる。
【図面の簡単な説明】
【００１７】
【図１】本考案の一実施形態に係る吊り戸棚が設置されるトイレ室の側面図である。
【図２】前記トイレ室の平面図である。
【図３】前記吊り戸棚の正面図である。
【図４】前記吊り戸棚に設けられた収納部を示す平面図である。
【図５】前記収納部の三面図である。
【図６】前記収納部の斜視図である。
【考案を実施するための形態】
【００１８】
本考案の一実施形態に係る吊り戸棚を図１〜６を参照して説明する。図１及び図２に示すように、本考案の吊り戸棚２は、便器Ｔが設置されたトイレ室１の壁面Ｗに固定され、トイレ室１において使用する物品Ｇを収納するために使用される。なお、本明細書において、前後方向とは、図中の矢印Ｘにより示す方向であり、トイレ室１の出入口ドアＤ側を前側とする。左右方向とは、図中の矢印Ｙにより示す方向であり前側から見た左を左側とする。上下方向とは、図中の矢印Ｚにより示す方向とする。
【００１９】
トイレ室１は、吊り戸棚２と、便座Ｓを有する便器Ｔと、トイレ室１の前方側の壁に設けられたトイレ室１の出入口ドアＤと、を備えて構成され、使用者Ｕは、前向きに便座Ｓに着座して、便器Ｔを使用する。吊り戸棚２は、使用者Ｕが便座Ｓに着座した状態において、使用者Ｕの後方に設置されている。
【００２０】
吊り戸棚２は、トイレ室１において、便器Ｔの後方壁面Ｗの上部に固定されるとともに、物品Ｇが収納される吊り戸棚本体３と、吊り戸棚本体３の前面に開閉可能に支持された観音開きの扉である左右一対の扉４と、扉４の裏面下部に設置された収納部５と、を有して構成されている。
【００２１】
吊り戸棚本体３は、前面が開口した箱状であって、壁面Ｗに接する背板３４と、背板３４から図中の矢印Ｘ方向前方に向かって延設された上板３１、下板３２、及び一対の側板３３と、上板３１、下板３２、側板３３、背板３４で囲まれた内部空間である物品収納空間３５と、物品収納空間３５を左右に分割する仕切板３６と、物品収納空間３５を上下に分割する可動式の棚板３７と、を有して構成されている。
【００２２】
左右一対の扉４は左扉４１と、右扉４２と、左扉４１及び右扉４２を吊り戸棚本体３に開閉可能に取り付ける取付ヒンジ４３と、を有して構成され、左扉４１及び右扉４２は、それぞれ、吊り戸棚本体３の側板３３に開閉可能に支持されている。さらに、左扉４１は、吊り戸棚本体３の側板３３に取り付けられる吊元４１１と、中央側の戸先４１２と、を有して形成され、右扉４２は、吊り戸棚本体３の側板３３に取り付けられる吊元４２１と、中央側の戸先４２２と、を有して形成されている。
【００２３】
収納部５は、左扉４１の裏面下部に設置された第一の収納部５１と、右扉４２の裏面下部に設置された第二の収納部５２と、を有して構成されているとともに、便座Ｓに着座した状態の使用者Ｕの手が届く高さに設置されている。
【００２４】
第一の収納部５１は、図５及び図６に示すように、棒状の金属部材に曲げ加工等を施してカゴ状に交差させることにより形成され、戸先側及び上端が開口したコ字状の補充部５３と、側部５７と底部５８を有して形成された舟型の取出部５４と、補充部５３の下端と取出部５４の吊元側の端部とを連結する連結部５５と、を有して構成され、収納部固定具５６により左扉４１の裏面下部に固定されている。
【００２５】
第二の収納部５２は、金属棒材に曲げ加工等を施すことにより、上部が開口したカゴ状に形成され、固定具５５により右扉４２の裏面下部において、第二の収納部５２の長手方向が右扉４２の吊元４２１から戸先４２２に沿う方向に固定されている。
【００２６】
第一の収納部５１の補充部５３は、上端が開口した開口部５３１と、コ字状に形成された補充部本体５３２と、コ字状の端部が互いに近づく方向に屈曲して形成された押さえ部５３３と、を有して形成されている。
【００２７】
第一の収納部５１の取出部５４は、長手方向が左扉４１の吊元４１１から戸先４１２に沿う方向に形成されるとともに、側部５７と底部５８とを有して構成されている。底部５８は、吊元側の端部から徐々に低くなる傾斜部５８１と、傾斜部５８１から戸先側の端部に向かって延設されるとともに、水平面に平行に配された水平部５８２と、水平部５８２の戸先側の端部からＺ軸方向上向きに立ち上がる立上り部５８３と、を有して形成されている。
【００２８】
次に、左扉４１と第一の収納部５１の動きについて、図１〜図４を参照して説明する。左扉４１が閉まっている状態においては、第一の収納部５１は、吊り戸棚本体３の物品収納空間３５に位置しており、第一の収納部５１の長手方向は、左右方向に沿って位置している。左扉４１の開放に伴って、左扉４１の戸先４１２が弧を描いて前方、すなわち使用者Ｕ側に移動する。左扉４１の動きに伴い、左扉４１の裏面下部に設置された第一の収納部５１も移動し、戸先側の端部が前方、すなわち使用者Ｕ側に移動する。従って、第一の収納部５１全体、特に取出部５４の戸先側の端部が使用者Ｕに最も近づく。
【００２９】
次に、第一の収納部５１に物品Ｇ（例えば、トイレットペーパーＧ１〜Ｇ３）を補充し、第一の収納部５１から取り出す方法について図１、図５、図６を参照して説明する。まず、補充部５３の開口部５３１から、第一の収納部５１の幅方向と物品ＧであるトイレットペーパーＧ１の軸孔とが沿う方向にトイレットペーパーＧ１を入れる。このとき、補充部本体５３２及び押さえ部５３３の間にトイレットペーパーＧ１が挟まれ、トイレットペーパーＧ１の外部への飛び出しが防止される。開口部５３１から入れられたトイレットペーパーＧ１は補充部本体５３２及び押さえ部５３３と、連結部５５と、に沿って取出部５４の吊元側の端部まで落下する。取出部５４は吊元側の端部から徐々に低くなる傾斜部５８１を有しているため、トイレットペーパーＧ１は戸先側の端部に向かって移動し、立上り部５８３に当接して保持される。さらに、トイレットペーパーＧ１と同様にトイレットペーパーＧ２，Ｇ３を補充部５３の開口部５３１から補充する。Ｇ２は傾斜部５８１に、Ｇ３は補充部５３に保持される。即ち、第一の収納部５１には３つのトイレットペーパーＧ１，Ｇ２，Ｇ３が収納される。
【００３０】
収納されたトイレットペーパーＧ１を取り出す場合、使用者Ｕは便座Ｓに着座した状態で左扉４１を開き、使用者Ｕ側に移動した第一の収納部５１の戸先側の端部に位置するトイレットペーパーＧ１を取り出す。これにより、傾斜部５８１に沿って、次に収納されているトイレットペーパーＧ２が戸先側の端部まで移動し、トイレットペーパーＧ３が下降して傾斜部５８１に保持される。なお、使用者Ｕが取出部５４の下側からトイレットペーパーＧ２，Ｇ３を移動させてもよい。
【００３１】
図２に示すように、第二の収納部５２は、第一の収納部５１と左右が反転した動作をする。開口した上部から物品Ｇ（例えば、小物入れ）を収納し、右扉４２の開放と共に使用者Ｕ側に移動した第二の収納部５２から物品Ｇである小物入れを取り出すことができる。
【００３２】
本実施形態によれば、扉４の裏面に収納部５が設けられ、さらに、使用者Ｕが着座した状態において、物品Ｇを取り出すことができる高さに収納部５が設けられていることから、扉４を開くことで収納部５が扉４と共に使用者Ｕ側に移動し、収納部５に収納された物品Ｇを使用者Ｕが着座した状態で容易に取り出すことができる。
【００３３】
また、第一の収納部５１が吊元側の端部から戸先側の端部に向かって徐々に低くなる傾斜部５８１を有して形成されていることから、傾斜に沿って戸先側の端部に物品Ｇを移動することができ、扉４を解放した際に使用者Ｕに最も近い位置に物品Ｇを位置させることができ、利便性を向上させることができる。
【００３４】
さらに、収納部５が棒状の金属部材に曲げ加工等を施してカゴ状に形成されていることにより、収納部５の下部から使用者Ｕが物品Ｇに触れることができ、収納部５内部の物品Ｇを移動させることができる。すなわち、収納部５に収納された物品Ｇを取り出す際や取り出した後に、補充されている物品Ｇを取り出しやすい位置に移動させることができ、利便性を向上させることができる。
【００３５】
また、一対の扉４の裏面下部にそれぞれ収納部５が設けられていることから、より多くの物品Ｇを収納することができ、利便性を向上させることができる。また、第一の収納部５１及び第二の収納部５２にそれぞれ異なる種類の物品Ｇを収納しておくことで、用途に応じた物品Ｇを取り出しやすくすることができる。
【００３６】
さらに、第一の収納部５１と第二の収納部５２とが異なる形状に形成されていることから、例えば、第一の収納部５１にはトイレットペーパーＧ１〜Ｇ３を収納し、第二の収納部５２には小物入れを収納するなど、収納する物品Ｇの形状や大きさに合わせて収納部５を使い分けることが可能となり、より利便性を向上させることができる。
【００３７】
なお、本発明は、前記実施形態に限定されるものではなく、本発明の目的が達成できる他の構成等を含み、以下に示すような変形等も本発明に含まれる。
【００３８】
例えば、第一の収納部５１は、補充部５３、取出部５４、連結部５５を有して形成され、トイレットペーパーＧ１〜Ｇ３の収納に利便性の高い形状をしていたが、物品Ｇを収納することができればよく、第二の収納部５２のようなカゴ状でもよい。また、収納部５の大きさや形状は、収納する物品Ｇに合わせて形成されていればよい。
【００３９】
また、収納部５は、棒状の金属部材を用いて形成されていたが、使用者Ｕが収納部５の下部から物品Ｇを移動させることができればよく、例えば、板状部材に穴あけ加工を施すことにより形成されていてもよい。さらに、金属部材ではなく、樹脂等の材料を用いることもできる。
【００４０】
また、収納部５は、左右一対の扉４のそれぞれの裏面に一つずつ設置されていたが、左扉４１又は右扉４２の一方に設置されていてもよく、また、一つの扉において複数設置されていてもよい。
【００４１】
また、左右一対の扉４の両方に収納部を設置する場合、本実施形態においては異なる形状の収納部５が設置されていたが、同じ形状の収納部が設置されていてもよい。
【００４２】
また、吊り戸棚２は、左右一対の扉４を有して構成されていたが、収納部５を設置することができる扉４を有していれば良く、例えば、片開きの扉を有して構成されていてもよい。
【００４３】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。
【００４４】
従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００４５】
１      トイレ室
２      吊り戸棚
５      収納部
５１    第一の収納部
５２    第二の収納部
５３    補充部
５４    取出部
５５    連結部
５７    側部
５８    底部
５８１  傾斜部
５８２  水平部
Ｕ      使用者
Ｓ      便座
Ｔ      便器
Ｗ      壁面
Ｇ      物品
【図１】
0003183173.tif 000003
【図２】
0003183173.tif 000004
【図３】
0003183173.tif 000005
【図４】
0003183173.tif 000006
【図５】
0003183173.tif 000007
【図６】
0003183173.tif 000008